(57)【特許請求の範囲】
【請求項１】
光源部から射出された光束を画像信号に応じて変調して投射するプロジェクタであって、
電力を供給する電源部と、
前記光束の射出、変調および投射をするための第１の機能部と、
スピーカー、前記光源部からの光束量を調整する調光部、シネマコンテンツの投射に適した光束を得るために必要に応じてシネマフィルターを挿入するフィルター挿抜部、投射された画像のズーム操作およびフォーカス操作を行うためのレンズ駆動部、外部装置と有線接続するための端子部、および外部装置と無線接続するためのＬＡＮ部のうちの少なくともいずれかを有する第２の機能部と、
内部温度を監視する温度監視部と、
前記内部温度が第１の設定温度より低ければ前記第１および前記第２の機能部に前記電力を供給し、前記内部温度が前記第１の設定温度より高ければ前記第１の機能部へは前記電力を供給し前記第２の機能部へは前記電力の供給を停止または制限するよう前記電源部へ指示する電源制御部と、を有し、
前記電源制御部は、前記内部温度が前記第１の設定温度より高い第２の設定温度に上がれば前記第１の機能部へ供給している前記電力を停止し、前記第１の設定温度より高くなった前記内部温度が前記第１の設定温度より下がれば前記第２の機能部に対する前記電力の供給の停止または制限を解除するよう前記電源部へさらに指示することを特徴とするプロジェクタ。
【請求項２】
光束の射出、変調および投射をするための第１の機能部と、
スピーカー、前記光源部からの光束量を調整する調光部、シネマコンテンツの投射に適した光束を得るために必要に応じてシネマフィルターを挿入するフィルター挿抜部、投射された画像のズーム操作およびフォーカス操作を行うためのレンズ駆動部、外部装置と有線接続するための端子部、および外部装置と無線接続するためのＬＡＮ部のうちの少なくともいずれかを有する第２の機能部と、
を備えるプロジェクタにおける電源制御方法であって、
電力を供給する電力供給ステップと、
内部温度を監視する監視ステップと、
前記内部温度が第１の設定温度より低ければ前記第１および前記第２の機能部に前記電力を供給し、前記内部温度が前記第１の設定温度より高ければ前記第１の機能部へは前記電力を供給し前記第２の機能部へは前記電力の供給の停止または制限をする制御ステップと、を有し、
前記制御ステップは、前記内部温度が前記第１の設定温度より高い第２の設定温度に上がれば前記第１の機能部へ供給している前記電力を停止し、前記第１の設定温度より高くなった前記内部温度が前記第１の設定温度より下がれば前記第２の機能部に対する前記電力の供給の停止または制限を解除する付加制御ステップを含んでいることを特徴とする電源制御方法。
【発明の詳細な説明】
【技術分野】
【０００１】
本発明は、プロジェクタおよびプロジェクタが備える電源を制御するための電源制御方法に関する。
【背景技術】
【０００２】
従来、プロジェクタは、ランプ等の発熱によって上昇する内部温度を、ファンの駆動により冷却して下げる構成が一般的であり、さらに、特許文献１に開示されているように、プロジェクタの内部温度を監視して、内部温度が一定温度以上になるとファンを作動させ、内部温度が下がればファンを停止させて、プロジェクタの内部温度の上昇を抑える構成も知られている。この構成では、必要時にのみファンを作動させるためファン音を抑制する効果もある。いずれの場合も、プロジェクタは、内部温度が異常に上昇すると、電源遮断により、冷却を除く稼働を停止して内部温度の上昇を抑え、プロジェクタが設定温度以上の高温に晒されることのないように保護する機能を備えている。
【０００３】
【特許文献１】特開平６−１３０４９２号公報
【発明の開示】
【発明が解決しようとする課題】
【０００４】
しかし、従来の技術では、プロジェクタの内部温度が設定温度以上になると、その時点で電源が遮断され、プロジェクタとしての機能は、突然、完全に停止してしまっていた。プロジェクタが突然停止してしまうと、ユーザーを混乱させるだけでなく、プロジェクタを最初から起動しなおさなくてはならない、という課題があった。
【課題を解決するための手段】
【０００５】
本発明は、上記課題の少なくとも一部を解決するためになされたものであり、以下の適用例または形態として実現することが可能である。
【０００６】
［適用例１］本適用例にかかるプロジェクタは、光源部から射出された光束を画像信号に応じて変調して投射するものであって、電力を供給する電源部と、内部温度を監視する温度監視部と、前記内部温度が第１の設定温度より低ければ前記電力を供給し、前記内部温度が前記第１の設定温度より高ければ第１の機能部へは前記電力を供給し第２の機能部へは前記電力の供給を停止または制限するよう前記電源部へ指示する電源制御部と、を有していることを特徴とする。
【０００７】
このプロジェクタによれば、稼働中のプロジェクタの内部温度を常に監視していて、内部温度が第１の設定温度より低い状態であれば、電源部は稼働に必要な電力をプロジェクタの各部へ供給する。これにより、プロジェクタは、光束の投射等が可能となる。一方、内部温度が第１の設定温度より高い状態であれば、電源部は、プロジェクタの諸機能のうち第１の機能部へは、規定通りの電力を供給し、第２の機能部へは、電力の供給を停止または制限する。第２の機能部への電力供給を停止または制限することにより、電源部から供給される電力が抑制され、これに伴って、発熱量の多い電源部からの発熱も減少傾向となる。電源部からの発熱が減少すれば、第１の設定温度より高くなった内部温度の上昇を抑制して、内部温度の低下を図ることが可能である。このような電源部を備えたプロジェクタは、プロジェクタの内部温度が第１の設定温度より高くなっても、従来のプロジェクタのように直ちに全機能を停止するのではなく、第１の機能部への電力供給を継続してプロジェクタの機能を部分的に維持しつつ、さらなる高温状態になることを回避することが可能である。
【０００８】
［適用例２］上記適用例にかかるプロジェクタにおいて、前記電源制御部は、前記内部温度が前記第１の設定温度より高い第２の設定温度に上がれば前記第１の機能部へ供給している前記電力を停止し、前記第１の設定温度より高くなった前記内部温度が前記第１の設定温度より下がれば前記第２の機能部に対する前記電力の供給の停止または制限を解除するよう前記電源部へさらに指示することが好ましい。
【０００９】
この構成によれば、内部温度が第１の設定温度以上に上がった状態のプロジェクタにおいて、プロジェクタの内部温度が第２の設定温度にまで、さらに異常上昇すれば、電源部は、第２の機能部に加え第１の機能部への電力の供給をも停止して、プロジェクタを稼働停止にする。これにより、プロジェクタは、内部温度が第２の設定温度以上の高温状態のまま稼働することを回避でき、熱によるダメージを受ける恐れがなくなる。一方、内部温度が第１の設定温度以上に上がっているプロジェクタは、第２の機能部への電源供給が停止または制限され、第１の機能部のみによる稼働状態である。そのため、電源部等の発熱が減少していて、冷却により内部温度が低下しやすい状態になっている。この状態において、プロジェクタの内部温度が第１の設定温度にまで下がると、電源部は、電力の供給を停止または制限していた第２の機能部への電力の供給を再開する。これで、プロジェクタは、全機能が復帰した稼働状態に戻る。このように、プロジェクタは、内部温度が第１の設定温度より高くなっても、一旦、機能を限定して内部の冷却を優先させることにより、完全な稼働停止に陥る確率を低減することが可能である。
【００１０】
［適用例３］上記適用例にかかるプロジェクタにおいて、前記第１の機能部は、前記光束の射出、変調および投射をするための光学ユニットであることが好ましい。
【００１１】
この構成によれば、プロジェクタの内部温度が第１の設定温度より高くなった場合において、第１の機能部としての光学ユニットには電力が供給され、少なくとも光束の投射は継続される。この場合、プロジェクタは、光束の投射が維持されていれば、プロジェクタの主たる機能が維持されていることになり、再び内部温度が第１の設定温度に下がるまでの間も、プロジェクタとしての投射機能の維持が図られる。このように、プロジェクタの内部温度が第１の設定温度に達しても、プロジェクタは、直ちに完全に稼働停止せずに、光学ユニット以外の第２の機能部への電力の供給を停止または制限して内部温度の低下を図っている。そのため、プロジェクタは、光束の投射を維持しており、ユーザーにとって使い勝手が良いものである。
【００１２】
［適用例４］本適用例にかかる電源制御方法は、光源部から射出された光束を画像信号に応じて変調して投射するプロジェクタに適用可能であって、電力を供給する電力供給ステップと、内部温度を監視する監視ステップと、前記内部温度が第１の設定温度より低ければ前記電力を供給し、前記内部温度が前記第１の設定温度より高ければ第１の機能部へは前記電力を供給し第２の機能部へは前記電力の供給の停止または制限をする制御ステップと、を有していることを特徴とする。
【００１３】
この電源制御方法によれば、監視ステップにおいて、稼働中のプロジェクタの内部温度を常に監視していて、制御ステップでは、内部温度が第１の設定温度より低い状態であれば、電源部は稼働に必要な電力をプロジェクタの各部へ供給する。これにより、プロジェクタは、光束の投射等が可能となる。一方、内部温度が第１の設定温度より高い状態であれば、電源部は、プロジェクタの諸機能のうち第１の機能部へは、規定通りの電力を供給し、第２の機能部へは、電力の供給を停止または制限する。第２の機能部への電力供給を停止または制限することにより、電源部から供給される電力が抑制され、これに伴って、発熱量の多い電源部殻の発熱も減少傾向となる。電源部からの発熱が減少すれば、第１の設定温度より高くなった内部温度の上昇を抑制して、内部温度の低下を図ることが可能である。このように、電源部を制御する電源制御方法は、プロジェクタの内部温度が第１の設定温度より高くなっても、従来のプロジェクタのように直ちに全機能を停止するのではなく、第１の機能部への電力供給を継続してプロジェクタの機能を部分的に維持しつつ、さらなる高温状態になることを回避することが可能である。
【００１４】
［適用例５］上記適用例にかかる電源制御方法において、前記制御ステップは、前記内部温度が前記第１の設定温度より高い第２の設定温度に上がれば前記第１の機能部へ供給している前記電力を停止し、前記第１の設定温度より高くなった前記内部温度が前記第１の設定温度より下がれば前記第２の機能部に対する前記電力の供給の停止または制限を解除する付加制御ステップを含んでいることが好ましい。
【００１５】
この方法によれば、内部温度が第１の設定温度以上に上がった状態のプロジェクタにおいて、プロジェクタの内部温度が第２の設定温度にまで、さらに異常上昇すれば、付加制御ステップにおいて、電源部が第２の機能部に加え第１の機能部への電力の供給をも停止して、プロジェクタを稼働停止にする。これにより、プロジェクタは、内部温度が第２の設定温度以上の高温状態のまま稼働することを回避でき、熱によるダメージを受ける恐れがなくなる。一方、内部温度が第１の設定温度以上に上がっているプロジェクタは、第２の機能部への電源供給が停止または制限され、第１の主機能部による稼働状態となっており、電源部等の発熱が減少して内部温度が低下しやすい状態になっている。この状態において、プロジェクタの内部温度が第１の設定温度にまで下がると、電源部は、電力の供給を停止または制限していた第２の機能部への電力の供給を再開する。これで、プロジェクタは、全機能が復帰した稼働状態に戻る。このように、付加制御ステップにより、プロジェクタの内部温度が第１の設定温度より高くなっても、一旦、機能を限定して内部の冷却を優先させることにより、プロジェクタが完全な稼働停止に陥る確率を低減することが可能である。
【発明を実施するための最良の形態】
【００１６】
以下、プロジェクタの具体的な実施形態について、図面に従って説明する。本実施形態のプロジェクタは、プロジェクタの内部温度に対応して電源を制御する電源制御方法を適用していることに特徴を有している。
（実施形態）
【００１７】
図１は、本実施形態にかかるプロジェクタの外観を示す斜視図である。図１に示すように、プロジェクタ１は、上面、側面、および背面を構成する上部外装２ａと、底面、側面、および背面を構成する下部外装２ｂと、前面を構成する前部外装２ｃと、で構成され略直方体状の外観をなす外装２を有している。この外装２は、プロジェクタ１の機構部を収容する筐体でもある。そして、上部外装２ａ上面の前部外装２ｃの側には、プロジェクタ１を操作するための操作パネル５が設けられている。また、前部外装２ｃには、操作パネル５の位置近傍に切り欠きが設けられていて、この切り欠きの部分にカラー画像を投射するための投射部３が配置されている。
【００１８】
前部外装２ｃの投射部３と反対側位置には、機構部が発する熱を排出するための排気口８が設けられている。また、下部外装２ｂの投射部３側の側面には、冷却用の空気（冷却空気）を導入するための吸気口９の一つである側面吸気口９ａが設けられ、さらに、下部外装２ｂの底面に底面吸気口９ｂが設けられている。これらにより、冷却空気が吸気口９から排気口８へ常に送られ、機構部の温度が所定温度以上に上昇しないように配慮されている。吸気口９には、導入する冷却空気に含まれる塵埃を除去するために、吸気口９内側の全域に図示していない除塵フィルターが設けられている。
【００１９】
次に、プロジェクタ１の機構部の構成および機能を簡単に説明する。図２は、上部および前部外装を取り外したプロジェクタの内部を示す斜視図である。また、図３は、プロジェクタの制御系の構成を示すブロック図である。図２に示すように、下部外装２ｂの前面の側には、既述した投射部３と、排気口８に連続して位置する排気部１８と、投射部３および排気部１８の間に位置する電源部１５と、が配置され、排気部１８および電源部１５の後部には、平面視略Ｌ字状の光学ユニット４（４１，４２，４３，４４）が配置されている。本願発明における第１の機能部である光学ユニット４は、光源部から射出された光束を画像信号に応じて変調して投射するための機構であり、主機能部に該当する。そして、電源部１５、光学ユニット４および投射部３の上部外装２ａ（図１）の側に、プロジェクタ１を制御するための制御基板１２が配置されている。図２では、制御基板１２が取り外された状態が示されている。
【００２０】
制御基板１２には、その両面に、図示していない各種回路等が実装された制御部２０が設けられている。また、制御基板１２の背面の側には、２つのスピーカー３３と、プロジェクタ１と外部装置とを有線接続するための端子部３５と、プロジェクタ１と外部装置とを無線接続するためのＬＡＮ（Local Area Network）部３６と、が配設され、端子部３５は、コンポーネント信号を入力するためのＲＧＢ入力端子、ビデオ入力端子、ＵＳＢ入力端子、オーディオ入力端子およびＨＤＭＩ（High-Definition  Multimedia  Interface）端子等を有している。
【００２１】
電源部１５は、図示していない電源ブロックと光源駆動ブロックとを含んで構成されており、電源ブロックは、電源ケーブルを通して、外部から供給された電力を光源駆動ブロックに供給すると共に、制御基板１２および各機構部に供給している。機構部のうち、光源部を構成する光源ランプ４５（図３）には、光源駆動ブロックから電力が供給されている。これら電源ブロックおよび光源駆動ブロックは、略平行に上下に並んで配置され、それぞれ筒状部材（不図示）によって覆われている。筒状部材は、外装２の側面へ向いた側が開口しており、電源ブロックおよび光源駆動ブロック間での電磁ノイズの漏れを防止すると共に、冷却空気を誘導するダクトとしての機能も有している。そして、これらの電源部１５から外部へ電磁ノイズが漏れることを防止するために、さらに、シールド板１６が電源部１５を覆って設けられている。
【００２２】
そして、吸気口９の近傍には、冷却空気を取り入れるための吸気ファン１０が設けられていて、吸気ファン１０は、側面吸気口９ａに対応する側面シロッコファン１０ａと、底面吸気口９ｂに対応する底面シロッコファン１０ｂとからなっている。排気部１８は、冷却空気を強制排気する排気ファン１８ａと、冷却空気を排気口８へ導くための排気ダクト１８ｂと、を有している。また、排気ファン１８ａの近傍には、プロジェクタ１の内部温度を測定するために、温度に応じて抵抗値が変化するサーミスタ１４が設けられていて、機構部を冷却した冷却空気の温度を内部温度として測定している。
【００２３】
ここで、サーミスタ１４と電源部１５との連携について簡単に説明する。サーミスタ１４が測定した内部温度が予め設定した第１の設定温度未満であれば、電源部１５は、プロジェクタ１の稼働のために各機構部へ電力を供給することができる。そして、内部温度が第１の設定温度以上に高くなると、電源部１５は、主機能部である光学ユニット４以外に供給している電力を停止または制限して電源部１５等の発熱を抑制し、内部温度の降下を図りやすくする。しかし、内部温度がさらに上昇して第２の設定温度以上に高くなると、光学ユニット４への電力の供給も停止してプロジェクタ１としての稼働を停止させる。一方、第１の設定温度より高くなっていた内部温度が第２の設定温度に達せずに、第１の設定温度未満に下がると、光学ユニット４以外に対して停止または制限していた電力の供給を、再び開始する。なお、いずれの場合も、吸気ファン１０および排気ファン１８ａは、稼働している。この連携の詳細は、図４および図５を参照して詳述する。
【００２４】
次に、光学ユニット４について説明する。光学ユニット４は、排気部１８の近傍にあり光源部を有するインテグレータ照明部４１と、色分離部４２と、リレー光学部４３と、３枚の液晶パネル４６（図３）を光学変調素子として有する光学変調部４４と、を有している。そして、光学変調部４４は、投射部３と接続されている。
【００２５】
インテグレータ照明部４１は、光源部の光源ランプ４５から光束を射出し、光学変調部４４において、光束が、赤、緑、青の色光にそれぞれ対応して設けられている３枚の液晶パネル４６の画像形成領域をほぼ均一に照明するための光学系である。また、色分離部４２は、インテグレータ照明部４１から射出された光束を赤、緑、青の３色の色光に分離するための光学系である。次のリレー光学部４３は、色分離部４２で分離された色光の内、液晶パネル４６までの経路の長い色光を導く機能を有する光学系であり、この場合赤色光がリレー光学部４３へ導かれている。そして、光学変調部４４は、３枚の液晶パネル４６によって、それぞれの色光を画像情報に応じて変調して光学像を形成し、さらに、クロスダイクロイックプリズムによって、色光毎に変調された光学像を合成してカラー画像を形成するための光学系である。このようにして形成されたカラー画像は、投射部３の投射レンズによって拡大して投射され、スクリーン等に映像として映し出される。
【００２６】
さらに、図２には図示していないが、インテグレータ照明部４１には、光源部からの光束量を調整する調光部と、シネマコンテンツの投射に適した光束を得るために必要に応じてシネマフィルターを挿入するフィルター挿抜部が設けられている。また、投射部３には、投射レンズのズーム操作およびフォーカス操作を行うためのレンズ駆動部が設けられている。これら調光部、フィルター挿抜部およびレンズ駆動部は、それぞれモーターやシリンダー等により駆動され、光学ユニット４の光学調整部３４（図３）として機能する。
【００２７】
次に、以上説明したプロジェクタ１の各機構部を制御する制御系について説明する。図３に示すように、制御系の中枢をなす制御部２０は、制御部２０の全体を制御する主制御部２１と、サーミスタ１４の抵抗値を換算して冷却空気の温度を特定し、プロジェクタ１の内部温度Ｃを監視するための温度監視部２２と、プロジェクタ１のメイン機構部である光学ユニット４を制御する光学ユニット制御部２３と、電源部１５を制御する電源制御部２４と、光学ユニット４以外の機構部である吸気ファン１０やＬＡＮ部３６等を制御する機構制御部２５と、を有している。
【００２８】
電源制御部２４が制御する電源部１５は、プロジェクタ１の各機構部が稼働するための電力を供給しており、その供給先として、まず、主機能部３０である光学ユニット４が有する光源ランプ４５および液晶パネル４６が挙げられる。光源ランプ４５および液晶パネル４６には、プロジェクタ１の内部温度Ｃが第１の設定温度Ｃ２より高くなっても、電源部１５から電力が供給され、プロジェクタ１は、カラー画像の投射を継続することができる設定となっている。
【００２９】
また、電源部１５は、主機能部３０以外に、本願発明における第２の機能部である副機能部３２へも電力を供給しており、この副機能部３２としては、スピーカー３３、光学調整部３４、端子部３５およびＬＡＮ部３６が含まれる。副機能部３２は、プロジェクタ１の内部温度Ｃが第１の設定温度Ｃ２より高くなると、電源部１５から供給されている電力が停止または制限される。そのため、カラー画像の投射は行われるが、スピーカー３３からの音声は停止され、光学調整部３４である調光部、フィルター挿抜部およびレンズ駆動部は、即駆動できるように供給されていた待機電力が停止される。また、端子部３５には、外部と接続されて画像信号等が入力されている端子およびその制御系にのみ電力が供給される制限が課され、ＬＡＮ部３６についても端子部３５に準じた制限が課される。このような電源部１５による電力の供給、停止および制限は、サーミスタ１４が測定し温度監視部２２から送られる内部温度情報に基づいて、電源制御部２４が電源部１５を制御して行われる。
【００３０】
次に、プロジェクタ１の内部温度Ｃと、内部温度Ｃに基づいて電源制御部２４が電源部１５を制御することによるプロジェクタ１の稼働状況と、の関係について説明する。図４は、プロジェクタの内部温度と稼働状況との関係を時系列に示すタイムチャートである。図４に示すタイムチャートは、縦軸にプロジェクタ１の内部温度Ｃを示し、横軸に経過した時間ｔを示している。そして、内部温度Ｃとして、この場合のプロジェクタ１が設置されている部屋の室温Ｃ１と、第１の設定温度Ｃ２と、第２の設定温度Ｃ３と、を記載し、また、時間ｔとして、プロジェクタ１を稼働させるための電源ＯＮの時点である時間ｔ１と、副機能部３２への電力の供給が停止される時点である時間ｔ２と、副機能部３２へ電力の供給が再開され機能復帰する時点である時間ｔ３と、主機能部３０への電力の供給が停止される時点である時間ｔ４と、を記載している。
【００３１】
図４を参照して、設計上の内部温度Ｃの変化を表す設計温度線Ｐと、副機能部３２の停止および復帰が実行される場合の内部温度Ｃの変化を表す機能制限温度線Ｑと、主機能部３０の停止が実行される場合の内部温度Ｃの変化を表す稼働停止温度線Ｒと、のそれぞれの場合について説明する。なお、タイムチャートでは、第１の設定温度Ｃ２および第２の設定温度Ｃ３の間隔を、分かり易いように広げて描いてある。
【００３２】
まず、設計温度線Ｐは、通常、プロジェクタ１が稼働する場合の内部温度Ｃの変化を表しており、時間ｔ１において、プロジェクタ１が電源ＯＮの状態となり稼働を開始する。この状態が状態ａであり、内部温度Ｃは、室温Ｃ１と同じである。そして、プロジェクタ１の稼働に伴って、電源部１５や光学ユニット４等から熱が放散され、しだいに内部温度Ｃが上昇する。同時に、吸気口９から導入された冷却空気による冷却がなされ、発熱とのバランスがとられて、内部温度Ｃは、室温Ｃ１と第１の設定温度Ｃ２と間の一定温度を保って推移する。この設計温度線Ｐに沿う内部温度Ｃの状態では、プロジェクタ１の全機能部に電源部１５から電力が供給されている。なお、図示していないが、プロジェクタ１が電源ＯＦＦの状態となると、内部温度Ｃが所定温度になるまで、しばらく吸気ファン１０および排気ファン１８ａが作動し、内部温度Ｃは、室温Ｃ１へ降下する。
【００３３】
また、機能制限温度線Ｑは、室温Ｃ１と第１の設定温度Ｃ２と間の一定温度を保って推移すべき内部温度Ｃが、吸気口９が一時的に塞がれるような要因等でさらに上昇して、時間ｔ２において、第１の設定温度Ｃ２を超えた場合を表している。機能制限温度線Ｑが第１の設定温度Ｃ２に達した状態ｂにおいて、電源制御部２４は、電源部１５へ指示して、副機能部３２であるスピーカー３３、光学調整部３４、端子部３５、ＬＡＮ部３６への電力の供給を停止または制限する。これにより、電力を供給している電源部１５の負荷が軽減されて発熱が抑制され、副機能部３２においても若干あった発熱がほぼ皆無になる。そのため、相対的に、冷却空気による冷却効果が増す結果となり、内部温度Ｃの上昇を抑えつつ、内部温度Ｃを第１の設定温度Ｃ２未満へ降下させることが可能である。この状態において、副機能部３２が停止または制限されていることが、操作パネル５にランプにより表示されている。
【００３４】
この場合、時間ｔ２以降も、主機能部３０へは電力が供給されており、プロジェクタ１によるカラー画像の投射が、音声等のない状態ではあるが継続して行われている。そして、冷却空気による冷却により時間ｔ３において、内部温度Ｃが第１の設定温度Ｃ２未満へ降下した状態ｃになると、電源制御部２４は、電源部１５へ指示して、副機能部３２への電力の供給を再開する。これにより、プロジェクタ１は、時間ｔ２以前の状態へ復帰し、機能制限温度線Ｑが設計温度線Ｐにほぼ沿った状態になって推移する。このように、プロジェクタ１は、内部温度Ｃが第１の設定温度Ｃ２より高くなっても、直ちに電力の供給を停止して投射を中断するのではなく、一旦、一部機能のみ停止または制限して内部温度Ｃの低下を図る。そのため、プロジェクタ１は、ユーザーにとって、突然の投射中断による混乱が回避できると共に、機能の復帰を見込みながらプロジェクタ１のメイン機能である投射を継続できる、使い勝手の良いものである。
【００３５】
また、プロジェクタ１の冷却機能の低下や室温Ｃ１の上昇等により、内部温度Ｃが第１の設定温度Ｃ２を超え、さらに、時間ｔ４において、第２の設定温度Ｃ３に達した状態ｄに到ると、電源制御部２４は、電源部１５へ指示して、主機能部３０への電力の供給を停止する。この場合の内部温度Ｃの推移を示すのが稼働停止温度線Ｒである。プロジェクタ１は、内部温度Ｃが第２の設定温度Ｃ３を超えると、熱影響による支障が生じる恐れがあるため、冷却以外の稼働を完全に停止して、冷却空気による冷却に専念する。この時、操作パネル５には、温度異常による稼働停止を示すランプ表示がなされる。なお、内部温度Ｃが第１の設定温度Ｃ２未満に下がれば、所定の操作により、プロジェクタ１の再起動が可能になる。但し、冷却機能の低下等の温度異常要因の解決が必要である。
【００３６】
ここで、第１の設定温度Ｃ２および第２の設定温度Ｃ３は、プロジェクタ１の光学仕様、冷却構成、使用部品の耐熱特性等によって影響されるが、例えば、第１の設定温度Ｃ２が摂氏４０度、第２の設定温度Ｃ３が摂氏４５度のような設定が考えられる。
【００３７】
次に、プロジェクタ１の内部温度Ｃに応じて電源部１５が実行する処理を制御するための電源制御方法について説明する。図５は、プロジェクタの内部温度に対応した処理手順を示すフローチャートである。このフローチャートは、図４に示す時間ｔ１において、プロジェクタ１が電源ＯＮの状態ａとなり、時間ｔ１以降にプロジェクタ１の制御部２０が実行して電源部１５を制御するフローを表している。電源がＯＮにされ、電源部１５からプロジェクタ１の稼働のための電力が供給されている状態は、電力供給ステップに該当する。フローは、図４も参照して説明する。まずステップＳ１において、内部温度Ｃの監視を行う。監視は、温度監視部２２がサーミスタ１４の抵抗値を温度情報に変換することにより、常時実行されている。このステップＳ１は、監視ステップに該当する。温度情報を取得するとステップＳ２へ進む。
【００３８】
ステップＳ２において、内部温度Ｃが第１の設定温度Ｃ２より高いか否かを判断する。この判断は、主制御部２１が温度監視部２２の取得した温度情報と、第１の設定温度Ｃ２とを比較して行う。内部温度Ｃが第１の設定温度Ｃ２未満であれば、ステップＳ１へ戻って、内部温度Ｃの監視を継続する。通常は、内部温度Ｃが第１の設定温度Ｃ２未満の状態である設計温度線Ｐに沿って、プロジェクタ１の稼働が継続する。一方、機能制限温度線Ｑの時間ｔ２における状態ｂに示すように、内部温度Ｃが第１の設定温度Ｃ２に達していれば、ステップＳ３へ進む。
【００３９】
ステップＳ３において、副機能部３２への電力の供給を停止または制限する。この処理は、電源制御部２４が電源部１５へ指示することにより、電源部１５が実行する。即ち、時間ｔ２以降も、主機能部３０へは電力が供給されており、プロジェクタ１によるカラー画像の投射が継続して行われているが、スピーカー３３等の副機能部３２は、機能停止していて、音声出力等が伴わない状態である。この状態の電源部１５は、副機能部３２への電力供給を停止または制限しており、負荷の減少により発熱が抑制されている。従って、発熱の多い電源部１５の発熱抑制により、内部温度Ｃを下げるための冷却空気による冷却がより効果的に行われることになる。電力の供給の停止または制限後、ステップＳ４へ進む。
【００４０】
ステップＳ４において、内部温度Ｃが第１の設定温度Ｃ２未満に下がったか否かを判断する。この判断は、主制御部２１が温度監視部２２の取得した温度情報と、第１の設定温度Ｃ２とを比較して行う。ここで、内部温度Ｃが第１の設定温度Ｃ２未満に下がって、機能制限温度線Ｑの時間ｔ３における状態ｃになっていれば、ステップＳ５へ進み、一方、内部温度Ｃが依然として第１の設定温度Ｃ２以上であれば、ステップＳ６へ進む。
【００４１】
ステップＳ５において、内部温度Ｃが第１の設定温度Ｃ２未満に下がったので、副機能部３２への電力の供給を再開する。この処理は、電源制御部２４が電源部１５へ指示することにより、電源部１５が実行する。これにより、プロジェクタ１は、時間ｔ２における副機能部３２への電力供給が停止または制限される以前の状態に復帰し、全機能が再び稼働する。これらステップＳ２、ステップＳ３、ステップＳ４およびステップＳ５は、制御ステップに該当する。電力供給の再開後、ステップＳ１へ戻り、内部温度Ｃの監視をする。
【００４２】
また、ステップＳ６において、内部温度Ｃが第１の設定温度Ｃ２未満に下がっていないため、内部温度Ｃが第２の設定温度Ｃ３より高いか否かを判断する。この判断は、主制御部２１が温度監視部２２の取得した温度情報と、第２の設定温度Ｃ３とを比較して行う。内部温度Ｃが第２の設定温度Ｃ３未満であれば、ステップＳ３へ戻って、副機能部３２への電力供給の停止または制限を継続し、一方、稼働停止温度線Ｒの時間ｔ４における状態ｄに示すように、内部温度Ｃが第２の設定温度Ｃ３に達していれば、ステップＳ７へ進む。
【００４３】
ステップＳ７において、主機能部３０への電力の供給を停止する。この処理は、電源制御部２４が電源部１５へ指示することにより、電源部１５が実行する。これにより、プロジェクタ１は、主機能部３０および副機能部３２を含め電力の供給が停止し、それに伴って各機構部の発熱状態も停止する。ここで、吸気ファン１０および排気ファン１８ａは、継続して稼働しており、プロジェクタ１の冷却を効果的に行える。そのため、プロジェクタ１は、高温の影響による支障を回避することができる。これらステップＳ６およびステップＳ７は、付加制御ステップに該当する。以上で、プロジェクタ１の電源制御方法に関するフローが終了する。
【００４４】
以下、本実施形態の主な効果をまとめて記載する。
【００４５】
（１）プロジェクタ１は、内部温度Ｃが第１の設定温度Ｃ２より高くなると、電源部１５から副機能部３２への電力供給を停止または制限して、電源部１５の発熱を主に抑制する。電源部１５からの発熱が減少すれば、さらなる高温状態になることを抑制しつつ、内部温度Ｃの低下を図ることができる。このように電源部１５を制御する電源制御方法を用いたプロジェクタ１は、プロジェクタ１の内部温度Ｃが第１の設定温度Ｃ２より高くなっても、電力が継続供給される主機能部３０の光学ユニット４によって投射を維持するため、直ちに全機能が停止してユーザーを混乱させるような事態を回避することができる。
【００４６】
（２）そして、主機能部３０によって投射が維持されている間に、プロジェクタ１の内部温度Ｃが第１の設定温度Ｃ２未満にまで下がると、電源部１５は、副機能部３２への電力の供給を再開する。このように、プロジェクタ１は、一旦、機能を限定して内部温度Ｃの降下を図ることにより、全機能を復帰させることが可能であり、完全に稼働停止に至ることを極力回避することができる。
【００４７】
（３）さらに、プロジェクタ１の内部温度Ｃが第２の設定温度Ｃ３にまで、さらに異常上昇すると、電源部１５は、主機能部３０への電力の供給をも停止して、プロジェクタ１を稼働停止にする。これにより、プロジェクタ１は、高温による影響に晒されることから保護される。
【００４８】
また、電源制御方法に基づいて制御される電源部１５を備えたプロジェクタ１は、上記の実施形態に限定されるものではなく、次に挙げる変形例のような形態であっても、実施形態と同様な効果が得られる。
【００４９】
（変形例１）制御ステップのステップＳ３において、電源部１５は、副機能部３２への電力の供給を停止する設定であるが、これに限定されるものではなく、光源ランプ４５の輝度を落とすことなどを追加して行う設定であっても良い。これにより、電源部１５の負荷がさらに軽減するため、電源部１５の発熱をより抑制する効果が得られる。
【００５０】
（変形例２）プロジェクタ１の主機能部３０は、光学ユニット４に設定されているが、光学ユニット４に替えてスピーカー３３等を主機能部３０とする等の選択ができる設定であっても良い。これにより、ユーザーは、プロジェクタ１の使用目的に応じて、最適な主機能部３０を選択できる。
【００５１】
（変形例３）プロジェクタ１は、光学変調部４４として液晶パネル４６を用いているが、液晶パネル４６以外のマイクロミラー等のデバイスを用いても良い。これにより、種々の光学変調部を有するプロジェクタに電源制御方法を適用することができる。
【図面の簡単な説明】
【００５２】
【図１】本実施形態にかかるプロジェクタの外観を示す斜視図。
【図２】上部および前部外装を取り外したプロジェクタの内部を示す斜視図。
【図３】プロジェクタの制御系の構成を示すブロック図。
【図４】プロジェクタの内部温度と稼働状況との関係を時系列に示すタイムチャート。
【図５】プロジェクタの内部温度に対応した処理手順を示すフローチャート。
【符号の説明】
【００５３】
１…プロジェクタ、２…外装、３…投射部、４…光学ユニット、８…排気口、９…吸気口、１０…吸気ファン、１４…サーミスタ、１５…電源部、１８…排気部、２０…制御部、２１…主制御部、２２…温度監視部、２３…光学ユニット制御部、２４…電源制御部、２５…機構制御部、３０…主機能部、３２…副機能部、３３…スピーカー、３４…光学調整部、３５…端子部、３６…ＬＡＮ部、４５…光源ランプ、４６…液晶パネル、Ｃ…内部温度、Ｃ１…室温、Ｃ２…第１の設定温度、Ｃ３…第２の設定温度、Ｐ…設計温度線、Ｑ…機能制限温度線、Ｒ…稼働停止温度線。
【図１】
0005029235.tif 000002
【図２】
0005029235.tif 000003
【図３】
0005029235.tif 000004
【図４】
0005029235.tif 000005
【図５】
0005029235.tif 000006